(57)【要約】ケーブルや光ファイバーよりも大容量の情報の伝送に適し、しかも伝送路と電子機器との結合をコネクタを用いることなく簡単に行うことができる伝送システムを提供することを目的とし、シート本体と、該シート本体に規則的に複数並べて内蔵された結合ノードと、信号伝送用配線とでテープ状通信シートを構成し、この結合ノードと同様のインターフェイスを持つコンピュータのインターフェイスとテープ状通信シートの結合ノードとを近接させて信号伝送を行う。結合ノードは、信号入出力部と、メモリと、信号受信／出力部と、該信号入出力部とメモリと信号受信／出力部に接続するＣＰＵとから成る通信回路部と、アレイアンテナとで構成し、信号伝送用配線を各結合ノードの信号入出力部に接続した構成とする。
2008050694.tif 000002
【特許請求の範囲】
【請求項１】
テープ状のシート本体と、該シート本体に規則的に複数並べて内蔵された結合ノードと、信号伝送用配線とを備え、前記結合ノードと同様のインターフェイスを持つコンピュータあるいは該コンピュータを内蔵した機器と前記結合ノードとを近接させて信号伝送を行うテープ状通信シートであって、前記結合ノードを、信号入出力部と、メモリと、信号受信／出力部と、該信号入出力部とメモリと信号受信／出力部に接続するＣＰＵとから成る通信回路部と、該通信回路部の前記信号受信／出力部に接続し前記シート本体の少なくとも片面に対面して配置されたアレイアンテナとで構成し、前記信号伝送用配線を前記各結合ノードの信号入出力部に接続したことを特徴とするテープ状通信シート。
【請求項２】
テープ状のシート本体と、該シート本体に規則的に複数並べて内蔵された結合ノードと、信号伝送用配線と、前記シート本体の長手方向に全長に亘って内蔵された電力伝送用配線とを備え、前記結合ノードと同様のインターフェイスを持つコンピュータあるいは該コンピュータを内蔵した機器と前記結合ノードとを近接させて信号伝送及び電力伝送を行うテープ状通信シートであって、前記結合ノードを、電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続し前記シート本体の少なくとも片面に対面して配置されたアレイアンテナとで構成し、前記信号伝送用配線を前記各結合ノードの信号入出力部に接続し、前記電力伝送用配線を前記各結合ノードの電力入出力部に接続したことを特徴とするテープ状通信シート。
【請求項３】
前記シート本体を、該シート本体の両面に配置された透明なプラスチック材からなる保護層と、該両面の保護層間に配置された導電性プラスチックからなる導電層と、前記導電層に積層方向に隣接して前記両面の保護層間に配置された絶縁性のプラスチック材からなる絶縁層とからなる多層構造とし、前記絶縁層に前記結合ノードを内蔵したことを特徴とする請求項１又は請求項２に記載のテープ状通信シート。
【請求項４】
前記アレイアンテナが、電磁波又は磁界信号又は電界信号又は超音波を送受信する機能を備え、該アレイアンテナに接続する前記信号受信／出力部がこれらの機能に対応していることを特徴とする請求項１に記載のテープ状通信シート。
【請求項５】
前記アレイアンテナが、電磁波又は磁界信号又は電界信号又は超音波を送受信する機能を備え、該アレイアンテナに接続する前記発振／整流器と信号受信／出力部がこれらの機能に対応していることを特徴とする請求項２に記載のテープ状通信シート。
【請求項６】
前記シート本体に外部インターフェイス回路を内蔵し、該外部インターフェイス回路を前記信号伝送用配線に接続したことを特徴とする請求項１に記載のテープ状通信シート。
【請求項７】
前記シート本体に外部インターフェイス回路を内蔵し、該外部インターフェイス回路を前記信号伝送用配線に接続したことを特徴とする請求項２に記載のテープ状通信シート。
【請求項８】
前記シート本体の端部に電力入出力用の端子と外部インターフェイス用の端子を設け、前記電力入出力用の端子に前記電力伝送用配線を接続し、前記外部インターフェイス用の端子に前記外部インターフェイス回路を接続したことを特徴とする請求項１３に記載のテープ状通信シート。
【請求項９】
前記結合ノードは、前記アレイアンテナが、前記通信回路部に対して前記シート本体の厚み方向に隣接して配置されていることを特徴とする請求項１又は請求項２に記載のテープ状通信シート。
【請求項１０】
前記シート本体が、前記アレイアンテナが前記通信回路部の側方に隣接して配置されている構成の結合ノードを含むことを特徴とする請求項１又は請求項２に記載のテープ状通信シート。
【請求項１１】
信号入出力部と、メモリと、信号受信／出力部と、前記信号入出力部と信号受信／出力部とに接続するＣＰＵとから成る通信回路部と、該通信回路部の前記信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続し、各結合ノードがネットワークを構成したテープ状通信シートを用いた情報処理装置であって、前記通信シートを建物の壁面に貼り付け、前記通信シートの結合ノードに該通信シートの結合ノードと同じインターフェイスを持つ中央制御機器と電力供給機器を近接させて結合し、前記通信シートの壁面貼り付け部分に、前記通信シートの結合ノードと同じインターフェイスを持つ被制御機を近接させ、該被制御機に前記中央制御機器から前記通信シートを経て各種のディジタルコンテンツを前記被制御機に伝送するようにしたことを特徴とする情報処理装置。
【請求項１２】
電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、前記通信シートを建物の壁面に貼り付け、前記通信シートの結合ノードに該通信シートの結合ノードと同じインターフェイスを持つ中央制御機器と電力供給機器を近接させて結合し、前記通信シートの壁面貼り付け部分に、前記通信シートの結合ノードと同じインターフェイスを持つ被制御機を近接させ、該被制御機に前記中央制御機器から前記通信シートを経て各種のディジタルコンテンツを前記被制御機に伝送するとともに、前記電力供給機器から前記通信シートを経て電力を前記被制御機に伝送するようにしたことを特徴とする情報処理装置。
【請求項１３】
前記被制御機を前記結合ノードと同じ構成のインターフェイスを有する音楽プレイヤーとし、前記中央制御機器から音楽ディジタルコンテンツが前記通信シートを経て、前記音楽プレイヤーのハードディスクに伝送されるようにしたことを特徴とする請求項１１又は請求項１２に記載の情報処理装置。
【請求項１４】
信号入出力部と、メモリと、信号受信／出力部と、前記信号入出力部とメモリと信号受信／出力部とに接続するＣＰＵとから成る通信回路部と、該通信回路部の前記信号受信／出力部に接続するアレイアンテナとを備えた結合ノードを、テープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、コンテナの各面に互いにルータを介して接続する、前記通信シートの結合ノードと同じインターフェイスを配設し、コンテナを互いに隣接することで前記インターフェイスを介してネットワークを構成し、積み重ねた複数のコンテナの中の少なくとも１つを前記通信シートの結合ノードに近接させて結合し、前記通信シートの前記コンテナから離れた位置に前記通信シートの結合ノードと同じインターフェイスを持つ中央制御機器と電力供給機器を前記通信シートに近接させて結合し、前記中央制御機器と前記コンテナとの間で相互に信号の伝送を行ってコンテナの管理を行うようにしたことを特徴とする情報処理装置。
【請求項１５】
電力入出力部と、信号入出力部と、メモリと、発振／整流器と、
信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、コンテナの各面に互いにルータを介して接続する、前記通信シートの結合ノードと同じインターフェイスを配設し、コンテナを互いに隣接することで前記インターフェイスを介してネットワークを構成し、積み重ねた複数のコンテナの中、少なくとも１つを前記通信シートの結合ノードに近接させて結合し、前記通信シートの前記コンテナから離れた位置に前記通信シートの結合ノードと同じインターフェイスを持つ中央制御機器と電力供給機器を前記通信シートに近接させて結合し、前記電力供給機器から前記通信シートを経て前記コンテナのインターフェイスに電力を供給するとともに、前記中央制御機器と前記コンテナとの間で相互に信号の伝送を行ってコンテナの管理を行うようにしたことを特徴とする情報処理装置。
【請求項１６】
信号入出力部と、メモリと、信号受信／出力部と、前記信号入出力部とメモリと信号受信／出力部に接続するＣＰＵとから成る通信回路部と、該通信回路部の信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、コンテナの周囲に通信シートを適宜な長さに切断した短尺状通信シートを巻き付けて、コンテナの各面にインターフェイスを形成し、前記コンテナを積み重ねて互いのインターフェイスを近接結合してネットワークを構成し、積み重ねた複数のコンテナの中、少なくとも１つのコンテナを前記長尺状の通信シートの結合ノードに近接させて結合し、前記通信シートの前記コンテナから離れた位置に前記通信シートの結合ノードと同じインターフェイスを持つ中央制御機器を前記通信シートに近接させて結合し、前記中央制御機器と前記コンテナとの間で相互に信号の伝送を行ってコンテナの管理を行うようにしたことを特徴とする情報処理装置。
【請求項１７】
電力入出力部と、信号入出力部と、メモリと、発振／整流器と、
信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、コンテナの周囲に前記通信シートを適宜な長さに切断した短尺状通信シートを巻き付けて、コンテナの各面にインターフェイスを形成し、前記コンテナを積み重ねて互いのインターフェイスを近接結合してネットワークを構成し、積み重ねた複数のコンテナの中、少なくとも１つを前記通信シートの結合ノードに近接させて結合し、前記通信シートの前記コンテナから離れた位置に前記通信シートの結合ノードと同じインターフェイスを持つ中央制御機器と電力供給機器を前記通信シートに近接させて結合し、前記電力供給機器から前記通信シートを経て前記コンテナのインターフェイスに電力を供給するとともに、前記中央制御機器と前記コンテナとの間で相互に信号の伝送を行ってコンテナの管理を行うようにしたことを特徴とする情報処理装置。
【請求項１８】
信号入出力部と、メモリと、信号受信／出力部と、前記信号入出力部とメモリと信号受信／出力部に接続するＣＰＵとから成る通信回路部と、該通信回路部の前記信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、筋肉の周囲に前記テープ状通信シートを適宜の長さに切断した短尺状通信シートを巻き付ける一方、前記長尺状通信シートを前記短尺状の通信シートの結合ノードに近接させて結合し、前記長尺状通信シートに前記通信シートの結合ノードと同じインターフェイスを持つ中央制御機器を前記通信シートに近接させて結合し、前記中央制御機器と前記短尺状通信シートの各結合ノードとの間で演算を行って筋肉の神経束の筋電位データを収集し、あるいは、筋肉の神経束に刺激信号を送るようにしたことを特徴とする情報処理装置。
【請求項１９】
電力入出力部と、信号入出力部と、メモリと、発振／整流器と、
信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えた長尺状のテープ状通信シートを用いた情報処理装置であって、筋肉の周囲に前記テープ状通信シートを適宜の長さに切断した短尺状通信シートを巻き付ける一方、前記長尺状通信シートを前記短尺状の通信シートの結合ノードに近接させて結合し、前記通信シートの結合ノードと同じインターフェイスを持つ中央制御機器と電力供給機器を該通信シートに近接させて結合し、前記電力供給機器から前記通信シートを経て短尺状通信シートの各結合ノードに電力を供給するとともに、前記中央制御機器と前記短尺状通信シートの各結合ノードとの間で演算を行って筋肉の神経束の筋電位データを収集し、あるいは、筋肉の神経束に刺激信号を送るようにしたことを特徴とする情報処理装置。
【発明の詳細な説明】
【技術分野】
【０００１】
本発明は、テープ状通信シート及び該テープ状通信シートを用いた情報処理装置に関する。
【背景技術】
【０００２】
電子機器と電子機器とを電気的に繋ぐネットワーク電送システムとしては、従来イーサネット（登録商標）ケーブル電送ネットワークシステムや光ファイバーネットワーク伝送システムが知られている（例えば特許文献１，２参照）。
【特許文献１】日本国特開２００５−２４４８３０号公報
【特許文献２】日本国特開２００３−３２１９５号公報
【発明の開示】
【発明が解決しようとする課題】
【０００３】
本発明は、ケーブルや光ファイバーよりも大容量の情報の伝送に適し、しかも伝送路と電子機器との結合をコネクタを用いることなく簡単に行うことができる伝送システムを提供することを目的とする。
【課題を解決するための手段】
【０００４】
上記目的を達成するため本発明は、テープ状のシート本体と、該シート本体に規則的に複数並べて内蔵された結合ノードと、信号伝送用配線とを備え、前記結合ノードと同様のインターフェイスを持つコンピュータあるいは該コンピュータを内蔵した機器と前記結合ノードとを近接させて信号伝送を行うテープ状通信シートであって、前記結合ノードを、信号入出力部と、メモリと、信号受信／出力部と、該信号入出力部とメモリと信号受信／出力部に接続するＣＰＵとから成る通信回路部と、該通信回路部の前記信号受信／出力部に接続し前記シート本体の少なくとも片面に対面して配置されたアレイアンテナとで構成し、前記信号伝送用配線を前記各結合ノードの信号入出力部に接続したことを特徴とする。
また本発明は、テープ状のシート本体と、該シート本体に規則的に複数並べて内蔵された結合ノードと、信号伝送用配線と、前記シート本体の長手方向に全長に亘って内蔵された電力伝送用配線とを備え、前記結合ノードと同様のインターフェイスを持つコンピュータあるいは該コンピュータを内蔵した機器と前記結合ノードとを近接させて信号伝送及び電力伝送を行うテープ状通信シートであって、前記結合ノードを、電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続し前記シート本体の少なくとも片面に対面して配置されたアレイアンテナとで構成し、前記信号伝送用配線を前記各結合ノードの信号入出力部に接続し、前記電力伝送用配線を前記各結合ノードの電力入出力部に接続したことを特徴とするテープ状通信シート。
また本発明は、前記シート本体を、該シート本体の両面に配置された透明なプラスチック材からなる保護層と、該両面の保護層間に配置された導電性プラスチックからなる導電層と、前記導電層に積層方向に隣接して前記両面の保護層間に配置された絶縁性のプラスチック材からなる絶縁層とからなる多層構造とし、前記絶縁層に前記結合ノードを内蔵したことを特徴とする。
また本発明は、前記アレイアンテナが、電磁波又は磁界信号又は電界信号又は超音波を送受信する機能を備え、該アレイアンテナに接続する前記信号受信／出力部がこれらの機能に対応していることを特徴とする。
また本発明は、前記アレイアンテナが、電磁波又は磁界信号又は電界信号又は超音波を送受信する機能を備え、該アレイアンテナに接続する前記発振／整流器と信号受信／出力部がこれらの機能に対応していることを特徴とする。
また本発明は、前記シート本体に外部インターフェイス回路を内蔵し、該外部インターフェイス回路を前記信号伝送用配線に接続したことを特徴とする、
また本発明は、前記シート本体に外部インターフェイス回路を内蔵し、該外部インターフェイス回路を前記信号伝送用配線に接続したことを特徴とする。
また本発明は、前記シート本体の端部に電力入出力用の端子と外部インターフェイス用の端子を設け、前記電力入出力用の端子に前記電力伝送用配線を接続し、前記外部インターフェイス用の端子に前記外部インターフェイス回路を接続したことを特徴とする。
また本発明は、前記結合ノードは、前記アレイアンテナが、前記通信回路部に対して前記シート本体の厚み方向に隣接して配置されていることを特徴とする。
また本発明は、前記シート本体が、前記アレイアンテナが前記通信回路部の側方に隣接して配置されている構成の結合ノードを含むことを特徴とする。
また本発明は、信号入出力部と、メモリと、信号受信／出力部と、前記信号入出力部と信号受信／出力部とに接続するＣＰＵとから成る通信回路部と、該通信回路部の前記信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、前記通信シートを建物の壁面に貼り付け、前記通信シートの結合ノードに該通信シートの結合ノードと同じインターフェイスを持つ中央制御機器と電力供給機器を近接させて結合し、前記通信シートの壁面貼り付け部分に、前記通信シートの結合ノードと同じインターフェイスを持つ被制御機を近接させ、該被制御機に前記中央制御機器から前記通信シートを経て各種のディジタルコンテンツを前記被制御機に伝送するようにしたことを特徴とする。
また本発明は、電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、前記通信シートを建物の壁面に貼り付け、前記通信シートの結合ノードに該通信シートの結合ノードと同じインターフェイスを持つ中央制御機器と電力供給機器を近接させて結合し、前記通信シートの壁面貼り付け部分に、前記通信シートの結合ノードと同じインターフェイスを持つ被制御機を近接させ、該被制御機に前記中央制御機器から前記通信シートを経て各種のディジタルコンテンツを前記被制御機に伝送するとともに、前記電力供給機器から前記通信シートを経て電力を前記被制御機に伝送するようにしたことを特徴とする。
また本発明は、前記被制御機を前記結合ノードと同じ構成のインターフェイスを有する音楽プレイヤーとし、前記中央制御機器から音楽ディジタルコンテンツが前記通信シートを経て、前記音楽プレイヤーのハードディスクに伝送されるようにしたことを特徴とする。
また本発明は、信号入出力部と、メモリと、信号受信／出力部と、前記信号入出力部とメモリと信号受信／出力部とに接続するＣＰＵとから成る通信回路部と、該通信回路部の前記信号受信／出力部に接続するアレイアンテナとを備えた結合ノードを、テープ状通信シートのシート本体に規則的に複数並べて内蔵し、前記シート本体の長手方向全長に亘って信号伝送用配線が内蔵され、前記信号伝送用配線が前記各結合ノードの信号入出力部に接続し、各結合ノードがネットワークを構成したテープ状通信シートを用いた情報処理装置であって、コンテナの各面に互いにルータを介して接続する、前記通信シートの結合ノードと同じインターフェイスを配設し、コンテナを互いに隣接することで前記インターフェイスを介してネットワークを構成し、積み重ねた複数のコンテナの中の少なくとも１つを前記通信シートの結合ノードに近接させて結合し、前記通信シートの前記コンテナから離れた位置に前記通信シートの結合ノードと同じインターフェイスを持つ中央制御機器と電力供給機器を前記通信シートに近接させて結合し、前記中央制御機器と前記コンテナとの間で相互に信号の伝送を行ってコンテナの管理を行うようにしたことを特徴とする。
また本発明は、電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、コンテナの各面に互いにルータを介して接続する、前記通信シートの結合ノードと同じインターフェイスを配設し、コンテナを互いに隣接することで前記インターフェイスを介してネットワークを構成し、積み重ねた複数のコンテナの中、少なくとも１つを前記通信シートの結合ノードに近接させて結合し、前記通信シートの前記コンテナから離れた位置に前記通信シートの結合ノードと同じインターフェイスを持つ中央制御機器と電力供給機器を前記通信シートに近接させて結合し、前記電力供給機器から前記通信シートを経て前記コンテナのインターフェイスに電力を供給するとともに、前記中央制御機器と前記コンテナとの間で相互に信号の伝送を行ってコンテナの管理を行うようにしたことを特徴とする。
また本発明は、信号入出力部と、メモリと、信号受信／出力部と、前記信号入出力部とメモリと信号受信／出力部に接続するＣＰＵとから成る通信回路部と、該通信回路部の信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、コンテナの周囲に通信シートを適宜な長さに切断した短尺状通信シートを巻き付けて、コンテナの各面にインターフェイスを形成し、前記コンテナを積み重ねて互いのインターフェイスを近接結合してネットワークを構成し、積み重ねた複数のコンテナの中、少なくとも１つのコンテナを前記長尺状の通信シートの結合ノードに近接させて結合し、前記通信シートの前記コンテナから離れた位置に前記通信シートの結合ノードと同じインターフェイスを持つ中央制御機器を前記通信シートに近接させて結合し、前記中央制御機器と前記コンテナとの間で相互に信号の伝送を行ってコンテナの管理を行うようにしたことを特徴とする。
また本発明は、電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、コンテナの周囲に前記通信シートを適宜な長さに切断した短尺状通信シートを巻き付けて、コンテナの各面にインターフェイスを形成し、前記コンテナを積み重ねて互いのインターフェイスを近接結合してネットワークを構成し、積み重ねた複数のコンテナの中、少なくとも１つを前記通信シートの結合ノードに近接させて結合し、前記通信シートの前記コンテナから離れた位置に前記通信シートの結合ノードと同じインターフェイスを持つ中央制御機器と電力供給機器を前記通信シートに近接させて結合し、前記電力供給機器から前記通信シートを経て前記コンテナのインターフェイスに電力を供給するとともに、前記中央制御機器と前記コンテナとの間で相互に信号の伝送を行ってコンテナの管理を行うようにしたことを特徴とする。
また本発明は、信号入出力部と、メモリと、信号受信／出力部と、前記信号入出力部とメモリと信号受信／出力部に接続するＣＰＵとから成る通信回路部と、該通信回路部の前記信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、筋肉の周囲に前記テープ状通信シートを適宜の長さに切断した短尺状通信シートを巻き付ける一方、前記長尺状通信シートを前記短尺状の通信シートの結合ノードに近接させて結合し、前記長尺状通信シートに前記通信シートの結合ノードと同じインターフェイスを持つ中央制御機器を前記通信シートに近接させて結合し、前記中央制御機器と前記短尺状通信シートの各結合ノードとの間で演算を行って筋肉の神経束の筋電位データを収集し、あるいは、筋肉の神経束に刺激信号を送るようにしたことを特徴とする。
また本発明は、電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えた長尺状のテープ状通信シートを用いた情報処理装置であって、筋肉の周囲に前記テープ状通信シートを適宜の長さに切断した短尺状通信シートを巻き付ける一方、前記長尺状通信シートを前記短尺状の通信シートの結合ノードに近接させて結合し、前記通信シートの結合ノードと同じインターフェイスを持つ中央制御機器と電力供給機器を該通信シートに近接させて結合し、前記電力供給機器から前記通信シートを経て短尺状通信シートの各結合ノードに電力を供給するとともに、前記中央制御機器と前記短尺状通信シートの各結合ノードとの間で演算を行って筋肉の神経束の筋電位データを収集し、あるいは、筋肉の神経束に刺激信号を送るようにしたことを特徴とする。
【発明の効果】
【０００５】
本発明は、データの大量伝送に適するとともに電子機器と伝送路の接続にコネクタを必要とせず、簡単に電子機器を伝送路に接続することができる。
【図面の簡単な説明】
【０００６】
【図１】本発明の説明図である。
【図２】本発明の機能ブロック説明図である。
【図３】本発明の説明図である。
【図４】本発明の説明図である。
【図５】本発明の応用例の説明図である。
【図６】本発明の応用例の説明図である。
【図７】本発明の応用例の説明図である。
【図８】本発明の応用例の説明図である。
【図９】本発明の応用例のの説明図である。
【図１０】本発明の応用例の説明図である。
【図１１】本発明の応用例の説明図である。
【図１２】本発明の応用例の説明図である。
【図１３】本発明の応用例の説明図である。
【図１４】本発明の応用例の説明図である。
【符号の説明】
【０００７】
２      通信シート  
４      シート本体
６      保護層
８      保護層
１０    結合ノード
１２    切り取り溝
１４    導電層
１６    絶縁層
１８    通信回路部
２０    電力入出力部
２２    信号入出力部
２４    シート型バッテリー
２６    セレクタ
２８    メモリ
３０    ＣＰＵ
３２    発振／整流器
３４    信号受信／出力部
３６    アレイアンテナ
３８    信号伝送用配線
４０    入力フイルタ
４２    出力フイルタ
４４    信号入力アンプ
４６    信号出力アンプ
４８    電力伝送用配線
５０    アンプ
５２    アンプ
５４    充電回路
５６    放電回路
５８    被制御機
６０    通信シート
６２    シート本体
６４    外部インターフェイス
６６    端子
６８    端子
７０    端子
７２    端子
７４    端子
７６    増幅器
７８    増幅器
８０    中央制御機器
８２    メモリ
８４    ＮＩＣ
８５    ＮＩＣ
８６    ＣＰＵ
８８    コネクタ
９０    電力供給機器
９２    電力レギュレータ
９４    被制御機
９６    電力レギュレータ
９８    ＮＩＣ
１００  メモリ
１０２  ＣＰＵ
１０４  筐体
１０６  コンテナ
１０８  ルータ
１１０  コンテナ
１１２  ターゲット
１１４  回路部
１１６  筋肉
１１８  神経束
【発明を実施するための最良の形態】
【０００８】
以下に本発明の実施の形態を添付した図面を参照して詳細に説明する。
図１は本発明に係るテープ状通信シートを用いた情報処理装置の概念図を示し、テープ状通信シート２の長手方向に長く伸びる長尺状のシート本体４は、両面に、透明で屈曲自在な弾力性のある絶縁性の硬質プラスチックにより構成された保護層６，８が形成されている。これら保護層６，８には、シート本体４を切断するときの目安となる切り取り溝１２が後述する結合ノード１０の両側に位置して、形成されている。シート本体４の両面の中の一方の面側の保護層６には、導電性プラスチックからなる導電体が接着され、保護層６に接して導電層１４形成されている。シート本体４の両面の中の他方の面側の保護層８と、前記導電層１４との間には、基材用のプラスチックが接着され、導電層１４と保護層８との間に絶縁層１６を形成している。図１中、左右に長く伸びる絶縁層１６には通信回路部１８が１単位ごとに長手方向に沿って、所定の間隔を存して規則的に並べられ、絶縁層１６に埋設されている。【０００９】
前記通信回路部１８は、電力入出力部２０と、信号入出力部２２と、シート型バッテリー２４と、電力用と信号用のセレクタ２６と、メモリ２８と、ＣＰＵ３０（中央演算処理装置）と、発振／整流器３２と、信号受信／出力部３４とより構成され、この通信回路部１８は、ＩＣ（集積回路）により構成されている。前記通信回路部１８には、データ／電力送受信用アレイアンテナ３６が接続されている。前記通信回路部１８を含むシート本体４の、切り取り溝１２で規定された領域は、結合ノード１０の１単位を構成している。各結合ノード１０のＣＰＵ３０は、ユニークＩＤを有し、各結合ノード１０を識別することができるようになっている。前記結合ノード１０は、信号系と電力系から構成され、図２に示すように接続されている。信号系において、信号伝送用配線３８は、絶縁層１６を貫いて、銅箔蒸着技術によって、シート本体４内を長手方向の全長に亘って埋設され、該信号伝送用配線３８は、分岐線を介して、各結合ノード１０の信号入出力部２２に接続している。信号入出力部２２は、入力フイルタ４０と出力フイルタ４２とからなり、前記信号伝送用配線３８の端部は、シート本体４の切断面に露出し、該露出した部分が入出力端を構成している。信号受信／出力部３４は、Ａ／Ｄ変換用の信号入力アンプ４４と、Ｄ／Ａ変換用の信号出力アンプ４６とから構成され、それぞれ、信号用のセレクタ２６とアレイアンテナ３６に接続している。電力系において、電力伝送用配線４８は、絶縁層１６を貫いて、銅箔蒸着技術によって、シート本体４内を長手方向全長に亘って埋設され、該電力伝送用配線４８は、分岐線を介して、各結合ノード１０の電力入出力部２０を構成する電力入力用アンプ５０と電力出力用アンプ５２に接続し、該アンプ５０，５２は、電力用のセレクタ２６に接続している。電力用のアレイアンテナ３６は、発振器３２ａと、整流器３２ｂとからなる発振／整流器３２にそれぞれ接続し、発振／整流器３２は、電力用のセレクタ２６に接続している。前記電力用のセレクタ２６には、充電回路５４と放電回路５６を介して、シート型バッテリー２４が接続している。【００１０】
次に、テープ状通信シートの作用について説明する。
図１は、テープ状通信シート２内の結合ノード１０と、結合ノード１０を備えた商品名ｉＰｏｄなどの被制御機５８の結合ノード１０とが近接して、アレイアンテナ３６，３６を通じて、互いに電磁結合又は電界結合又は電磁波結合又は超音波結合している状態を示している。この結合により、テープ状通信シート２から被制御機５８に電力及び信号が供給される。本実施形態では、電磁波用のアレイアンテナを用いた場合について説明するが、本発明では、アレイアンテナ３６は電磁波用に特に限定されるものではない。電界信号用、磁界信号用、超音波用を用いることができる。被制御機５８のインターフェイスは、テープ状通信シート２を切り取り溝１２で切断した結合ノード１０により構成される。被制御機５８に内蔵された結合ノード１０の電力入出力部２０と信号入出力部は、被制御機５８内のコンピュータに接続している。【００１１】
上記した構成において、電力伝送用配線４８から通信シート２に供給された電力は、電力入出力部２０を経て、シート型バッテリー２４に供給され、該バッテリー２４を充電する。また、電力入出力部２０から供給された電力によって、発振器３２ａが駆動され、発振器３２ａから電力エネルギーが発振される。この電力エネルギーは、電力用アレイアンテナ３６を通じて、被制御機５８の電力用アレイアンテナ３６に伝播され、該アレイアンテナ３６に伝播された電力用高周波は、被制御機５８側の整流器３２によって整流される。この整流された電力エネルギーは、セレクタ２６によって、シート型バッテリー２４や内部パワー用の安定回路６１に振り分けられる。テープ状通信シート２の信号伝送用配線３８に供給された信号（データ）は、通信シート２の信号入出力部２２を経てＣＰＵ３０に入力される。ＣＰＵ３０に入力された信号は、ここで加工される。加工された信号は、出力アンプ４６に供給され、出力アンプ４６は、入力された信号をアンテナ用の信号にＤ／Ａ変換して、信号用のアレイアンテナ３６に供給する。アレイアンテナ３６に供給された信号は、アレイアンテナ３６を通じて、被制御機５８側の結合ノード１０のアレイアンテナ３６に伝播され、該アレイアンテナ３６，信号入力部２２のアンプ４４を通じて、被制御機５８の結合ノード１０のＣＰＵ３０に入力される。【００１２】
上記テープ状通信シート２は、図１に示す片面タイプの他に、両面タイプのものがある。この両面タイプのテープ状通信シート２は、通信回路部１８がシート本体４の両面側に配置内蔵され、両面にアレイアンテナ３６が配置される。この両面タイプのテープ状通信シートは図示省略した。前記結合ノード１０は、図３に示すように、アレイアンテナ３６が通信回路部１８の下側に配置された対面配置タイプ（以下Ａタイプと称する）と図４に示すように、通信回路部１８の側方に配置されたＶタイプがある。対面配置のＡタイプは、２つの結合ノード同士を近接させて結合するのに適している。また、Ｖタイプは、結合ノードを垂直方向に積層させて結合させるのに適している。図１０はＶタイプの結合ノード１０を有する通信シート２を示している。この通信シート２にはアレイアンテナ３６の直下の導電層１４に開口部１５が形成され、アレイアンテナ３６の信号の送受信に導電層が邪魔にならないようにしている。他の構成は図１に示す通信シート２と同一である。【００１３】
上記のように、テープ状通信シート２の結合ノード１０と同様のインターフェイス（結合ノード）を内蔵したｉＰｏｄのような被制御機５８あるいは上記のインターフェイスを持つコンピュータと、テープ状通信シート２とを近接させて、相互に信号伝送、電力伝送を行うことができる。
図５は、外部インターフェイス付きのテープ状通信シート６０を示し、シート本体６２にＮＩＣ，ＲＳ２３２Ｃ，ＵＳＢ等に対応する外部インターフェイス回路６４が内蔵されている。図５に示す通信シート６０のシート本体６２の内部多層構造は、図１に示すシート本体４の構造と同一である。シート本体６２の端部には、電力出力用の端子６６，電力入力用の端子６８，信号入出力用端子７０、信号用グランド端子７２、フレームグランド端子７４が設けられている。信号入出力端子７０には、外部インターフェイス回路６４がリード線を通じて接続している。シート本体６０には、ＡタイプとＶタイプの２種類の結合ノード１０が、単位ごとに内蔵されている。図５では、１単位の結合ノード１０のみを示し、他の結合ノードは図示省略してある。シート本体６０には、電力伝送用配線４８と信号伝送用配線３８が内蔵され、電力伝送用配線４８は、各結合ノード１０の電力入出力部２２に接続されるとともに、増幅器７６，７８を介して電力入力端子６８及び出力端子６６に接続している。また、信号伝送用配線４８は、各結合ノード１０の信号入出力部２０に接続するとともに、インターフェイス回路６４に接続している。【００１４】
次に上記インターフェイス付きテープ状通信シート６０の応用例について説明する。
図６は、切り取ったインターフェイス付きテープ状通信シート６０を中央制御機器８０に内蔵した応用例を示している。中央制御機器８０は、メモリ８２と、ＮＩＣ（Ａ  Ｎｅｔｗｏｒｋ  Ｉｎｔｅｒｆａｃｅ  Ｃａｒｄ）８４，８６、ＣＰＵ８６、コネクタ８８を備えたコンピュータから構成されている。中央制御機器８０は、インターネットやＬＡＮに接続できる構成となっている。図７は、電力供給機器９０にインターフェイス付きテープ状通信シート６０を内蔵した応用例を示している。電力供給機器９０は、電力レギュレータ９２を備え、コネクタ８８を通じて外部のＡＣ１００Ｖの電源に接続できる構成となっている。
図８は、例えば、米アップル社製の商品名ｉＰｏｄなどの被制御機９４にインターフェイス付きテープ状通信シート６０を内蔵した応用例を示している。被制御機９４は、電力レギュレータ９６、ＮＩＣ９８、ハードディスク等のメモリ１００、ＣＰＵ１０２、インターフェイス１０３から成る回路部１１４を備え、電力レギュレータ９６は、シート本体６０の電力出力端子６６，６８に接続し、ここから被制御機９４の筐体内回路部に電源を供給している。ＮＩＣ９８は、シート本体６０の信号入出力部７０に接続している。
次に建物の壁面を利用したテープ状通信シートを用いた情報処理装置の応用例について図９を参照して説明する。【００１５】
２本のテープ状通信シート２，２を壁面１１に貼り付け、これに、中央制御機器８０と電力供給機器９０を接続する。この接続は、機器８０，９０側のアレイアンテナを、テープ状通信シート２側のアレイアンテナに対面させて、テープ状通信シート２を機器８０，９０に対接させている。テープ状通信シート２と２も同様に互いのアレイアンテナを対面させて互いに対接し貼り付けて、シート２，２同士を接続している。商品名ｉＰｏｄ等のターゲット即ち被制御機９４，９４は、その筐体１０４に２単位の結合ノード１０を有するテープ状通信シート６０が内蔵され、この筐体１０４に内蔵された主ＣＰＵ、ＨＤ等の回路部１１４に接続している。前記テープ状通信シート６０は、筐体１０４の透明なカバーに接着されている。筐体１０４内の通信シート６０の結合ノード１０，１０の配置間隔が、テープ状通信シート２側の一対の結合ノード１０，１０の配置間隔と同一に設定されているため、ターゲット９４の筐体１０４のインターフェイスカバー面を、テープ状通信シート２の結合ノード配置面に当接させると、ターゲット９４側の結合ノード１０，１０が、テープ状通信シート２側の結合ノード１０，１０と、アレイアンテナ３６を介して近接するように構成されている。【００１６】
上記した構成において、ターゲット９４，９４を、テープ状通信シート２に接触させると、ＬＡＮに接続する中央制御機器８０から、テープ状通信シート２，２を通じて、音楽などのディジタルコンテンツがターゲット９４，９４に供給される。また、ターゲット９４，９４には、電力供給機器９０から、テープ状通信シート２，２を通じて、電力が供給される。
次に、図１１を参照して、貨物船などの甲板に積載した多数のコンテナに制御信号と電力を送る情報処理装置の応用例について説明する。
使用されるコンテナは、各面に結合ノード１０が配置され、各結合ノード１０は、ルータ１０８を介して接続されている。ルータ１０８は、結合ノード１０間のデータ及び電力の中継伝送を行う。甲板等に積載されたコンテナ１０６は、互いの壁面の接触により、結合ノード１０のアレイアンテナ３６を通じて接続している。船内には、所定の長さに、結合ノード１０の境界で切断された複数のテープ状通信シート２が張り巡らされ、各テープ状通信シート２は、結合ノード同士が重ねられ、接着により接続している。６本の通信シート２を区別するため、通信シート２に符号２ａ，２ｂ，２ｃ，２ｄ，２ｅ，２ｆを付している。テープ状通信シート２ａには、電力供給機器９０が接触配置され、１つのテープ状通信シート２ｆには、最下段のコンテナ１０６の１つが結合ノード１０を介して、接触により、接続している。【００１７】
テープ状通信シート２ｄには中央制御機器８０が接触配置されている。ＬＡＮを通じて、中央制御機器８０に入力された制御信号は、中央制御機器８０の結合ノード１０を通じて、通信シート２ｄに送られ、更に、接続するテープ状通信シート２ｃ，２ｅ及び２ｆを経て、最下段のコンテナ１０６の結合ノード１０に入力される。最下段のコンテナ１０６の結合ノード１０に入力された制御信号は、コンテナ１０６内のルータ１０８によって中継され、ターゲットコンテナ１０６の所要の結合ノード１０に供給される。一方、電力供給機器９０から供給された電力エネルギーは、テープ状通信シート２ａ，２ｂ，２ｃ，２ｅ及び２ｆを経て、コンテナ１０６の結合ノード１０に供給され、コンテナ１０６内のルータ１０８によって中継されて、ターゲットコンテナ１０６の所要の結合ノード１０に供給される。これらの情報処理は、中央制御機器８０に格納された、あるいはＬＡＮを通じて中央制御機器８０のメモリにダウンロードされたコンテナ管理プログラムに基づいて行われる。【００１８】
次に、多数のコンテナの相互データ結合方式について図１２を参照して説明する。
多数積載された各コンテナ１１０には、それぞれ周囲にテープ状通信シート２が脱落しないように適宜な手段で巻き付けられている。積載された各コンテナ１１０は、テープ状通信シート２の結合ノード１０を通じて、電磁、電界、電磁波あるいは、超音波結合により互いに結合する。最下段のコンテナ１１０，１１０は、床面に配置されたテープ状通信シート２の上に載置される。コンテナ１１０同士は、テープ状通信シート２が接触し、互いの結合ノードが近接して、結合ノード間でデータ、電力を相互に伝送する。これらデータ、電力のやりとりは、通信シート２に結合する中央制御機器の制御により行われる。【００１９】
テープ状通信シート２は、データ、電力を中継し、最下段のコンテナ１１０，１１０のテープ状通信シート２にデータ電力を伝送する。多数のコンテナ１１０は、これに巻き付けられたテープ状通信シート２の結合ノード１０により、その中味のデータ及び位置のデータが中央制御機器によって処理される。
次に、複数のテープ状通信シートを重ねて結合し、各テープ状通信シートに信号を分配するようにした情報処理装置の実施形態を図１３を参照して説明する。
テープ状通信シート２ｂ，２ｃ，２ｄの各端部ｂ，ｃ，ｄは、Ｖタイプの結合ノード１０を有しこれらの各端部ｂ，ｃ，ｄが重なって接触配置されている。各テープ状通信シート２ｂ，２ｃ，２ｄのＡタイプの結合ノード１０には、ファイルサーバやＲＡＩＤなどから成るターゲット（被制御機）１１２のＡタイプの結合ノード１０が近接している。ターゲット１１２は、筐体１１２ａに、主ＣＰＵやＨＤ等からなる回路部１１４が内蔵され、これに、Ａタイプの結合ノード１０，１０が接続している。【００２０】
筐体１１２ａの透明カバーには、結合ノード１０，１０が接着配置されている。テープ状通信シート２ｂ，２ｃ，２ｄの端部には、Ｖタイプの結合ノード１０が内蔵されている。テープ状通信シート２ｂ，２ｃ，２ｄ，２ａの各端部は、積層方向に重なり、各Ｖタイプの結合ノード１０の各アレイアンテナ３６が垂直方向に重なっている。テープ状通信シート２ａ，２ｅは、Ａタイプの結合ノード１０同士が、アレイアンテナ３６を介して結合している。テープ状通信シート２ｅのＡタイプの結合ノード１０には、中央制御機器８０にＬＡＮを通じて入力された制御信号は、テープ状通信シート２ｅ，２ａに伝送される。テープ状通信シート２ａに伝送された制御信号は、Ｖタイプの結合ノード１０から、テープ状通信シート２ｂ，２ｃ，２ｄの各Ｖタイプの結合ノード１０に垂直方向に、アレイアンテナ３６を通じて伝播され、ここで制御信号は、テープ状通信シート２ｂ，２ｃ，２ｄに分配される。テープ状通信シート２ｂ，２ｃ，２ｄに分配された制御信号は、各通信シート２ｂ，２ｃ，２ｄのＡタイプの結合ノード１０を通じて、各通信シート２ｂ，２ｃ，２ｄに接触するターゲット１１２，１１２，１１２のＡタイプの結合ノード１０に伝送される。【００２１】
次に筋肉の周囲に巻き付けたテープ状通信シートによる筋電位データ結合方式を図１４を参照して説明する。
筋肉１１６の周囲に、テープ状通信シート２が巻き付けられ、この通信シート２に、データ、電力を中継するテープ状通信シート２の結合ノードが近接している。テープ状通信シート２，２間で筋電位データ、電力が相互に伝送される。筋肉１１６内の神経束１１８を通る電気信号は、筋電位データとして、テープ状通信シート２の複数の結合ノード１０のアレイアンテナにより磁界の信号として検出される。筋肉１１６に巻き付けられたテープ状通信シート２の各結合ノード１０は、互いの受信データを計算し合い、真の筋電位データに近づける。また、神経束１１８の近傍のテープ状通信シート２の複数の結合ノードが互いの受信データを演算し合って協調し、該複数の結合ノードから、神経束１１８の目標の神経への刺激信号を加重する、信号が発振される。これにより、筋肉の動きを制御することができる。
【図１】
2008050694.tif 000003
【図２】
2008050694.tif 000004
【図３】
2008050694.tif 000005
【図４】
2008050694.tif 000006
【図５】
2008050694.tif 000007
【図６】
2008050694.tif 000008
【図７】
2008050694.tif 000009
【図８】
2008050694.tif 000010
【図９】
2008050694.tif 000011
【図１０】
2008050694.tif 000012
【図１１】
2008050694.tif 000013
【図１２】
2008050694.tif 000014
【図１３】
2008050694.tif 000015
【図１４】
2008050694.tif 000016
【手続補正書】
【提出日】平成21年7月2日(2009.7.2)
【手続補正１】
【補正対象書類名】明細書
【補正対象項目名】００１３
【補正方法】変更
【補正の内容】
【００１３】
上記のように、テープ状通信シート２の結合ノード１０と同様のインターフェイス（結合ノード）を内蔵した市販の小型ミュージックプレーヤーのような被制御機５８あるいは上記のインターフェイスを持つコンピュータと、テープ状通信シート２とを近接させて、相互に信号伝送、電力伝送を行うことができる。
図５は、外部インターフェイス付きのテープ状通信シート６０を示し、シート本体６２にＮＩＣ，ＲＳ２３２Ｃ，ＵＳＢ等に対応する外部インターフェイス回路６４が内蔵されている。図５に示す通信シート６０のシート本体６２の内部多層構造は、図１に示すシート本体４の構造と同一である。シート本体６２の端部には、電力出力用の端子６６，電力入力用の端子６８，信号入出力用端子７０、信号用グランド端子７２、フレームグランド端子７４が設けられている。信号入出力端子７０には、外部インターフェイス回路６４がリード線を通じて接続している。シート本体６０には、ＡタイプとＶタイプの２種類の結合ノード１０が、単位ごとに内蔵されている。図５では、１単位の結合ノード１０のみを示し、他の結合ノードは図示省略してある。シート本体６０には、電力伝送用配線４８と信号伝送用配線３８が内蔵され、電力伝送用配線４８は、各結合ノード１０の電力入出力部２２に接続されるとともに、増幅器７６，７８を介して電力入力端子６８及び出力端子６６に接続している。また、信号伝送用配線４８は、各結合ノード１０の信号入出力部２０に接続するとともに、インターフェイス回路６４に接続している。
【手続補正２】
【補正対象書類名】明細書
【補正対象項目名】００１４
【補正方法】変更
【補正の内容】
【００１４】
次に上記インターフェイス付きテープ状通信シート６０の応用例について説明する。
図６は、切り取ったインターフェイス付きテープ状通信シート６０を中央制御機器８０に内蔵した応用例を示している。中央制御機器８０は、メモリ８２と、ＮＩＣ（Ａ  Ｎｅｔｗｏｒｋ  Ｉｎｔｅｒｆａｃｅ  Ｃａｒｄ）８４，８６、ＣＰＵ８６、コネクタ８８を備えたコンピュータから構成されている。中央制御機器８０は、インターネットやＬＡＮに接続できる構成となっている。図７は、電力供給機器９０にインターフェイス付きテープ状通信シート６０を内蔵した応用例を示している。電力供給機器９０は、電力レギュレータ９２を備え、コネクタ８８を通じて外部のＡＣ１００Ｖの電源に接続できる構成となっている。
図８は、例えば、米アップル社製の市販のミュージックプレーヤーなどの被制御機９４にインターフェイス付きテープ状通信シート６０を内蔵した応用例を示している。被制御機９４は、電力レギュレータ９６、ＮＩＣ９８、ハードディスク等のメモリ１００、ＣＰＵ１０２、インターフェイス１０３から成る回路部１１４を備え、電力レギュレータ９６は、シート本体６０の電力出力端子６６，６８に接続し、ここから被制御機９４の筐体内回路部に電源を供給している。ＮＩＣ９８は、シート本体６０の信号入出力部７０に接続している。
次に建物の壁面を利用したテープ状通信シートを用いた情報処理装置の応用例について図９を参照して説明する。
【手続補正３】
【補正対象書類名】明細書
【補正対象項目名】００１５
【補正方法】変更
【補正の内容】
【００１５】
２本のテープ状通信シート２，２を壁面１１に貼り付け、これに、中央制御機器８０と電力供給機器９０を接続する。この接続は、機器８０，９０側のアレイアンテナを、テープ状通信シート２側のアレイアンテナに対面させて、テープ状通信シート２を機器８０，９０に対接させている。テープ状通信シート２と２も同様に互いのアレイアンテナを対面させて互いに対接し貼り付けて、シート２，２同士を接続している。市販の小型ミュージックプレーヤー等のターゲット即ち被制御機９４，９４は、その筐体１０４に２単位の結合ノード１０を有するテープ状通信シート６０が内蔵され、この筐体１０４に内蔵された主ＣＰＵ、ＨＤ等の回路部１１４に接続している。前記テープ状通信シート６０は、筐体１０４の透明なカバーに接着されている。筐体１０４内の通信シート６０の結合ノード１０，１０の配置間隔が、テープ状通信シート２側の一対の結合ノード１０，１０の配置間隔と同一に設定されているため、ターゲット９４の筐体１０４のインターフェイスカバー面を、テープ状通信シート２の結合ノード配置面に当接させると、ターゲット９４側の結合ノード１０，１０が、テープ状通信シート２側の結合ノード１０，１０と、アレイアンテナ３６を介して近接するように構成されている。
【手続補正４】
【補正対象書類名】特許請求の範囲
【補正対象項目名】全文
【補正方法】変更
【補正の内容】
【特許請求の範囲】
【請求項１】
テープ状のシート本体と、該シート本体に規則的に複数並べて内蔵された結合ノードと、信号伝送用配線とを備え、前記結合ノードと同様のインターフェイスを持つコンピュータあるいは該コンピュータを内蔵した機器と前記結合ノードとを近接させて信号伝送を行うテープ状通信シートであって、前記結合ノードを、信号入出力部と、メモリと、信号受信／出力部と、該信号入出力部とメモリと信号受信／出力部に接続するＣＰＵとから成る通信回路部と、該通信回路部の前記信号受信／出力部に接続し前記シート本体の少なくとも片面に対面して配置されたアレイアンテナとで構成し、前記信号伝送用配線を前記各結合ノードの信号入出力部に接続したことを特徴とするテープ状通信シート。
【請求項２】
テープ状のシート本体と、該シート本体に規則的に複数並べて内蔵された結合ノードと、信号伝送用配線と、前記シート本体の長手方向に全長に亘って内蔵された電力伝送用配線とを備え、前記結合ノードと同様のインターフェイスを持つコンピュータあるいは該コンピュータを内蔵した機器と前記結合ノードとを近接させて信号伝送及び電力伝送を行うテープ状通信シートであって、前記結合ノードを、電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続し前記シート本体の少なくとも片面に対面して配置されたアレイアンテナとで構成し、前記信号伝送用配線を前記各結合ノードの信号入出力部に接続し、前記電力伝送用配線を前記各結合ノードの電力入出力部に接続したことを特徴とするテープ状通信シート。
【請求項３】
前記シート本体を、該シート本体の両面に配置された透明なプラスチック材からなる保護層と、該両面の保護層間に配置された導電性プラスチックからなる導電層と、前記導電層に積層方向に隣接して前記両面の保護層間に配置された絶縁性のプラスチック材からなる絶縁層とからなる多層構造とし、前記絶縁層に前記結合ノードを内蔵したことを特徴とする請求項１又は請求項２に記載のテープ状通信シート。
【請求項４】
前記アレイアンテナが、電磁波又は磁界信号又は電界信号又は超音波を送受信する機能を備え、該アレイアンテナに接続する前記信号受信／出力部がこれらの機能に対応していることを特徴とする請求項１に記載のテープ状通信シート。
【請求項５】
前記アレイアンテナが、電磁波又は磁界信号又は電界信号又は超音波を送受信する機能を備え、該アレイアンテナに接続する前記発振／整流器と信号受信／出力部がこれらの機能に対応していることを特徴とする請求項２に記載のテープ状通信シート。
【請求項６】
前記シート本体に外部インターフェイス回路を内蔵し、該外部インターフェイス回路を前記信号伝送用配線に接続したことを特徴とする請求項１に記載のテープ状通信シート。
【請求項７】
前記シート本体に外部インターフェイス回路を内蔵し、該外部インターフェイス回路を前記信号伝送用配線に接続したことを特徴とする請求項２に記載のテープ状通信シート。
【請求項８】
前記シート本体の端部に電力入出力用の端子と外部インターフェイス用の端子を設け、前記電力入出力用の端子に前記電力伝送用配線を接続し、前記外部インターフェイス用の端子に前記外部インターフェイス回路を接続したことを特徴とする請求項７に記載のテープ状通信シート。
【請求項９】
前記結合ノードは、前記アレイアンテナが、前記通信回路部に対して前記シート本体の厚み方向に隣接して配置されていることを特徴とする請求項１又は請求項２に記載のテープ状通信シート。
【請求項１０】
前記シート本体が、前記アレイアンテナが前記通信回路部の側方に隣接して配置されている構成の結合ノードを含むことを特徴とする請求項１又は請求項２に記載のテープ状通信シート。
【請求項１１】
信号入出力部と、メモリと、信号受信／出力部と、前記信号入出力部と信号受信／出力部とに接続するＣＰＵとから成る通信回路部と、該通信回路部の前記信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続し、各結合ノードがネットワークを構成したテープ状通信シートを用いた情報処理装置であって、前記通信シートを建物の壁面に貼り付け、前記通信シートの結合ノードに該通信シートの結合ノードと同じインターフェイスを持つ中央制御機器と電力供給機器を近接させて結合し、前記通信シートの壁面貼り付け部分に、前記通信シートの結合ノードと同じインターフェイスを持つ被制御機を近接させ、該被制御機に前記中央制御機器から前記通信シートを経て各種のディジタルコンテンツを伝送するようにしたことを特徴とする情報処理装置。
【請求項１２】
電力入出力部と、信号入出力部と、メモリと、発振／整流器と、信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、前記通信シートを建物の壁面に貼り付け、前記通信シートの結合ノードに該通信シートの結合ノードと同じインターフェイスを持つ中央制御機器と電力供給機器を近接させて結合し、前記通信シートの壁面貼り付け部分に、前記通信シートの結合ノードと同じインターフェイスを持つ被制御機を近接させ、該被制御機に前記中央制御機器から前記通信シートを経て各種のディジタルコンテンツを伝送するとともに、前記電力供給機器から前記通信シートを経て電力を前記被制御機に伝送するようにしたことを特徴とする情報処理装置。
【請求項１３】
前記被制御機を前記結合ノードと同じ構成のインターフェイスを有する音楽プレイヤーとし、前記中央制御機器から音楽ディジタルコンテンツが前記通信シートを経て、前記音楽プレイヤーのハードディスクに伝送されるようにしたことを特徴とする請求項１１又は請求項１２に記載の情報処理装置。
【請求項１４】
信号入出力部と、メモリと、信号受信／出力部と、前記信号入出力部とメモリと信号受信／出力部とに接続するＣＰＵとから成る通信回路部と、該通信回路部の前記信号受信／出力部に接続するアレイアンテナとを備えた結合ノードを、テープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、コンテナの各面に互いにルータを介して接続する、前記通信シートの結合ノードと同じインターフェイスを配設し、コンテナを互いに隣接することで前記インターフェイスを介してネットワークを構成し、積み重ねた複数のコンテナの中の少なくとも１つを前記通信シートの結合ノードに近接させて結合し、前記通信シートの前記コンテナから離れた位置に前記通信シートの結合ノードと同じインターフェイスを持つ中央制御機器と電力供給機器を前記通信シートに近接させて結合し、前記中央制御機器と前記コンテナとの間で相互に信号の伝送を行ってコンテナの管理を行うようにしたことを特徴とする情報処理装置。
【請求項１５】
電力入出力部と、信号入出力部と、メモリと、発振／整流器と、
信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、コンテナの各面に互いにルータを介して接続する、前記通信シートの結合ノードと同じインターフェイスを配設し、コンテナを互いに隣接することで前記インターフェイスを介してネットワークを構成し、積み重ねた複数のコンテナの中、少なくとも１つを前記通信シートの結合ノードに近接させて結合し、前記通信シートの前記コンテナから離れた位置に前記通信シートの結合ノードと同じインターフェイスを持つ中央制御機器と電力供給機器を前記通信シートに近接させて結合し、前記電力供給機器から前記通信シートを経て前記コンテナのインターフェイスに電力を供給するとともに、前記中央制御機器と前記コンテナとの間で相互に信号の伝送を行ってコンテナの管理を行うようにしたことを特徴とする情報処理装置。
【請求項１６】
信号入出力部と、メモリと、信号受信／出力部と、前記信号入出力部とメモリと信号受信／出力部に接続するＣＰＵとから成る通信回路部と、該通信回路部の信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、前記テープ状通信シートは、長尺状のテープ状通信シートとコンテナの大きさに対応して適宜な長さに切断した複数の短尺状のテープ状通信シートとから成り、コンテナの周囲に適宜な長さに切断した前記短尺状のテープ状通信シートを巻き付けて、コンテナの各面に前記結合ノードを有するインターフェイスを形成し、前記コンテナを積み重ねて互いのインターフェイスを近接し、互いの前記結合ノードを介して結合してネットワークを構成し、積み重ねた複数のコンテナの中、少なくとも１つのコンテナを前記長尺状のテープ状通信シートの結合ノードに近接させて結合し、前記長尺状のテープ状通信シートの前記コンテナから離れた位置に前記テープ状通信シートの結合ノードと同じインターフェイスを持つ中央制御機器を前記長尺状のテープ状通信シートに近接させて結合し、前記中央制御機器と前記コンテナとの間で相互に信号の伝送を行ってコンテナの管理を行うようにしたことを特徴とする情報処理装置。
【請求項１７】
電力入出力部と、信号入出力部と、メモリと、発振／整流器と、
信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをテープ状通信シートのシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、前記テープ状通信シートは、長尺状のテープ状通信シートとコンテナの大きさに対応して適宜な長さに切断した複数の短尺状のテープ状通信シートとから成り、コンテナの周囲に適宜な長さに切断した前記短尺状のテープ状通信シートを巻き付けて、コンテナの各面に前記結合ノードを有するインターフェイスを形成し、前記コンテナを積み重ねて互いのインターフェイスを近接し、互いの前記結合ノードを介して結合してネットワークを構成し、積み重ねた複数のコンテナの中、少なくとも１つを前記長尺状のテープ状通信シートの結合ノードに近接させて結合し、前記長尺状のテープ状通信シートの前記コンテナから離れた位置に前記テープ状通信シートの結合ノードと同じインターフェイスを持つ中央制御機器と電力供給機器を前記長尺状のテープ状通信シートに近接させて結合し、前記電力供給機器から前記長尺状のテープ状通信シート及び短尺状のテープ状通信シートを経て前記コンテナのインターフェイスに電力を供給するとともに、前記中央制御機器と前記コンテナとの間で相互に信号の伝送を行ってコンテナの管理を行うようにしたことを特徴とする情報処理装置。
【請求項１８】
信号入出力部と、メモリと、信号受信／出力部と、前記信号入出力部とメモリと信号受信／出力部に接続するＣＰＵとから成る通信回路部と、該通信回路部の前記信号受信／出力部に接続するアレイアンテナとを備えた結合ノードをテープ状通信シートのシート本体に規則的に複数並べて内蔵し、前記シート本体の長手方向全長に亘って信号伝送用配線が内蔵され、前記信号伝送用配線が前記各結合ノードの信号入出力部に接続した構成を備えたテープ状通信シートを用いた情報処理装置であって、前記テープ状通信シートは、長尺状のテープ状通信シートと適宜な長さに切断した短尺状のテープ状通信シートとから成り、筋肉の周囲に前記適宜の長さに切断した短尺状のテープ状通信シートを巻き付ける一方、前記長尺状のテープ状通信シートを前記短尺状のテープ状通信シートの結合ノードに近接させて結合し、前記長尺状のテープ状通信シートに前記テープ状通信シートの結合ノードと同じインターフェイスを持つ中央制御機器を近接させて結合し、前記中央制御機器と前記短尺状のテープ状通信シートの各結合ノードとの間で演算を行って筋肉の神経束の筋電位データを収集し、あるいは、筋肉の神経束に刺激信号を送るようにしたことを特徴とする情報処理装置。
【請求項１９】
電力入出力部と、信号入出力部と、メモリと、発振／整流器と、
信号受信／出力部と、充放電型バッテリーと、セレクタを介して前記電力入出力部と信号入出力部と発振／整流器と信号受信／出力部と充放電型バッテリーに接続するＣＰＵとから成る通信回路部と、該通信回路部の前記発振／整流器と信号受信／出力部に接続するアレイアンテナとを備えた結合ノードをシート本体に規則的に複数並べて内蔵し、前記シート本体の長手方向全長に亘って信号伝送用配線と電力伝送用配線が内蔵され、前記信号伝送用配線が前記各結合ノードの信号入出力部に接続し、前記電力伝送用配線が前記各結合ノードの電力入出力部に接続した構成を備えたテープ状通信シートを用いた情報処理装置であって、前記テープ状通信シートは、長尺状のテープ状通信シートと適宜な長さに切断した短尺状のテープ状通信シートとから成り、筋肉の周囲に前記適宜の長さに切断した短尺状のテープ状通信シートを巻き付ける一方、前記長尺状のテープ状通信シートを前記短尺状のテープ状通信シートの結合ノードに近接させて結合し、前記テープ状通信シートの結合ノードと同じインターフェイスを持つ中央制御機器と電力供給機器を前記長尺状のテープ状通信シートに近接させて結合し、前記電力供給機器から前記長尺状のテープ状通信シートを経て前記短尺状のテープ状通信シートの各結合ノードに電力を供給するとともに、前記中央制御機器と前記短尺状のテープ状通信シートの各結合ノードとの間で演算を行って筋肉の神経束の筋電位データを収集し、あるいは、筋肉の神経束に刺激信号を送るようにしたことを特徴とする情報処理装置。
【手続補正５】
【補正対象書類名】図面
【補正対象項目名】図５
【補正方法】変更
【補正の内容】
【図５】
2008050694.tif 000017
【国際調査報告】
2008050694.tif 000018
2008050694.tif 000019